(57)【要約】  【課題】  道路構造物などに設置する視線誘導用反射材料で、再帰性反射機能及び汚れ防止機能を備え、設置に専門の知識、技術、道具を不要とし、設置者には設置コストの縮減と取り扱いの容易さを、道路利用者にはやさしさを提供する視線誘導用材料。  【解決手段】  既製する再帰性反射シートを加工した反射材に、既製する材料を基台とし、既製する汚れ防止フィルムを施した簡易な構造の反射構造体とし、その反射構造体を既製する接着剤や釘で道路構造物、施設構造物等へ設置できる機能を備える。  【選択図】  図７
2006316424.tif 000002
【特許請求の範囲】
【請求項１】
再帰性反射シートを所定の単一形状に加工を行った個々の再帰性反射材を、基台に一定の間隔にて複数整列配置したことを特徴とする反射構造体。
【請求項２】
前記所定の単一形状は円形、矩形、又は多角形であることを特徴とする請求項１記載の反射構造体。
【請求項３】
汚れ防止フィルムを表面に施すことを特徴とする請求項１記載の反射構造体。
【請求項４】
基台の裏全面に筋を設けたことを特徴とする請求項１記載の反射構造体。
【請求項５】
本発明は他の本発明の反射構造体と組み合わせることが出来ることを特徴とする請求項１記載の反射構造体。
【発明の詳細な説明】
【技術分野】
【０００１】
本発明は、道路構造物、施設構内等に設置する視線誘導材の材料に関する。
【背景技術】
【０００２】
交通安全に供する視線誘導の従来技術の代表としては、道路外側傍や分離帯等に支柱により設置され、その支柱に反射体を施したものがある（例えば、非特許文献１参照）。非特許文献１は設置する道路の場所を必要量掘削後、支柱をコンクリート等で配置固定する。反射体は取付け枠を介して支柱に取付けるが、その反射体は取付け枠と整合するよう機能した構造である。
【０００３】
反射体の前面に風圧により回転する回転羽根を取付け反射体の汚れ防止機能を備えたものがある（例えば、特許文献２参照）。特許文献１の技術は、汚れ防止のために回転羽根をつけた場合による、反射体表面の傷を防ぐよう反射体に表面処理を施した。
【０００４】
また道路の縁石ブロックに反射体を設置した際、車両のヘッドライトの光を多く反射できるよう反射体の構造に機能を加えたものもある（例えば、特許文献２参照）。
【０００５】
【非特許文献１】株式会社  カシムラ  製品案内、［online］、[平成17年４月２２日検索]、インターネット＜ＵＲＬ：http://www.kashimura.com/rd/cont/a/41-1-1.htm#＞、＜ＵＲＬ：http://www.kashimura.com/rd/dwg/4/41/41-1-1/DSN-A-1200.pdf＞
【特許文献１】特開平０８−２０９１８  号公報
【特許文献２】特開２００４−０４４１２９  号公報
【発明の開示】
【発明が解決しようとする課題】
【０００６】
従来技術の非特許文献１では支柱の設置する場所を掘削し、支柱の固定にコンクリート等を使用しているために設置作業に専門の知識や技術及び道具を必要とする問題がある。
【０００７】
従来技術の特許文献１では、例えば製品に防塵機能と防塵機能による弊害を防止する為の機能を施したが、その機能を生かすためには設置場所や設置方法に専門知識を必要とする問題がある、及び防塵機能に応じた専用の構造を持つ反射体を要し材料コストが増大する問題がある。
【０００８】
従来技術の特許文献２では、車両のヘッドライトの光を多く反射できるよう反射性能を向上するのため機能を施してあるが、その機能を生かすためには設置場所や設置方法に関して専門知識を必要とする問題がある。及び機能に応じた専用の構造をもつ反射体を要し材料コストが増大する問題がある。
【０００９】
また何れの上記従来技術は道路上で使用することを目的としている。よって当該反射体及び一体なる構造物を壊れないよう強固な構造としているために、道路利用者が接触した場合、接触した利用者が転ぶなどの被害が及ぶ問題がある。更に強固な構造とするための材料コストが増大する問題がある。
【００１０】
従来技術は上述のごとく視線誘導の材料に性能や機能及び独自性或いは丈夫さを求めた結果、コストや利用者に対して新たなる問題がある。
【００１１】
本発明は、上述の従来技術傾向を見直し、視線誘導などに用いる反射体を、専用の知識、専用の技術、専用の道具を用いずに設置可能とし、及び反射体の再帰性反射基本機能を最優先し他の機能を必要最小限とすることで材料コストを抑え、且つ反射体に道路利用者が接触しても転ぶなどの被害の発生を最小限にとどめ、利用者にやさしい材料を提供することを目的とする。合わせて視線誘導に関わる反射体設置の普及を図り、交通の安全に寄与すること。
【課題を解決するための手段】
【００１２】
本発明は再帰性反射シートを所定の単一形状に加工を行った個々の再帰性反射材を、基台に一定の間隔にて複数整列配置したことを特徴とする反射構造体である。
【００１３】
本願の請求項２記載に関わる発明は、前記所定の単一形状は円形、矩形、又は多角形などがある。
【００１４】
本願の請求項３記載に関わる発明は、汚れ防止フィルムを表面に施す。
【００１５】
本願の請求項４記載に関わる発明は、基台の裏全面に筋を設けた。
【００１６】
本願の請求項５記載に関わる発明は、他の本発明の反射構造体と組み合わせることが出来る。
【発明の効果】
【００１７】
本発明によれば、再帰性反射材の材料に例えば既製する再帰性反射シートを、及び基台に例えば既製する樹脂系材料などを使用し、視線誘導の材料コストを格段に抑えることが出来る。
【００１８】
本発明は、上記のような材料により構造が簡素で軽量であるため、道路構造物などに設置する場合、既製する接着剤又は釘などによる設置が可能で、専門の知識及び専門の道具を必要とする従来技術と比較し、設置作業に要するコストを格段に抑えることが出来る。
【００１９】
上記機能により設置工程の大幅に縮減、設置時間の縮減が図られ、設置時に関わる作業者の安全、利用者の安全に寄与できる効果がある。
【００２０】
本発明は、再帰性反射シートを所定の単一の形状に加工を行った反射材を、基台に一定間隔にて複数整列配列することで、基台全面に配置する場合と比較し、再帰性反射材シートの使用量を抑える効果がある。
【００２１】
本発明は、反射材を一定の間隔で整列配置しているが、目の位置が本反射構造体より一定の距離以上では、反射材を基台全面に配置してあるかのように基台全体が反射して見える全面反射効果がある。この効果は目の他特性による相乗効果を含むが、本発明の効果部分について以下に図２０を用いてその概要を説明する。
【００２２】
図２０の入射光１１が反射光１２a及び１２ｂと特定の角度１０で再帰反射するため、反射構造体から或る一定の距離に位置する目１３は反射材の施されていない無反射部分７を反射しているかのごとく見え、反射構造体前面があたかも全面反射をしているかの効果が発生する。
【００２３】
既製する汚れ防止フィルム３を反射構造体の上面に張り付けることで汚れ防止の効果を有する。
【００２４】
本発明の反射構造体の基台裏全面に筋を設けたことにより、接着剤による構造物への接着が増大する効果がある。
【００２５】
本発明を既存の道路構造物に設置する場合、設置高さが低い場所へ設置することで、従来の高めの位置に反射体のある視線誘導と比較した場合、ライトの光を多く受け、例えば自動車のライトが減光（下向きライト）である場合、結果反射量が増え運転手への視認性の効果が大きい。
【００２６】
従来雪国においては、道路の除雪作業時において視線誘導材（標）を倒壊する場合が多く、視線誘導材の補修維持コストの増加の影響を受けていたが、本発明の反射構造体を使用することで、補修維持コストが減少する効果がある。
【００２７】
本発明により、従来の視線誘導の反射体と比較し、反射体に使用している材料が少なく、また反射体の設置に支柱などを不要としているなどにより、使用材料が少ないことから環境負荷軽減の効果がある。
【発明を実施するための最良の形態】
【００２８】
以下本発明の実施の形態を図１〜図７に基づいて説明する。
【００２９】
図１の基台原料なるＡの下面を格子模様の筋を設ける。
【００３０】
図１のように基台原料なるＡを加工して切り出したる基台１を作る。
【００３１】
次に図２のように反射材の原料なる再帰性反射シートＢを加工して切り出したる反射材２ａ、２ｂ、２ｃ、・・・。
【００３２】
更に図３のように汚れ防止フィルム原料なるＣを加工して切り出したる汚れ防止フィルム３を作る。
【００３３】
図４、図５のように、筋を設けた面を下面とする基台１に、反射面を上面とする反射材２ａ〜２ｈを所定の間隔にて配置する。次に汚れ防止フィルム３を貼り付ける。
【００３４】
以上の実施より、図５の平面図、図５のＤ−Ｄ断面からなる図６の断面図及び図７の斜図からなる本発明の反射構造体４となる。
【実施例】
【００３５】
以下本発明の実施例を図１〜図１０に基づいて説明する。
【００３６】
基台１の原材料となる既製する板状樹脂材Ａの裏面に格子状の筋を設けた後、図８による幅５０ｍｍ×長さ１００ｍｍ×厚さ０．５ｍｍの寸法に切り出した基台１に、反射材２の原料となる既製する再帰性反射シートＢを、図８による１５φの寸法に必要量切り出した反射材２を、図８からなる所定の位置へ所定の間隔にて複数整列配置する。図９は図８のＥ−Ｅを断面とする断面図である。
【００３７】
次に汚れ防止フィルム３を施し、1〜３からなる構成部材を一体化し本発明の反射構造体７とする。
【００３８】
本発明の反射構造体４を、例えば図１０のように単道路の縁石ブロック５に反射構造体４を既製の接着剤にて設置する。又は図１１のようにＴ字路正面の縁石ブロック５に反射構造体４を既製する接着剤にて設置する。
【００３９】
反射構造体は他に例えば図１２〜図１８のような形状も可能とする。及び反射構造体は図１２〜図１８のいずれかを組み合わせた反射構造体からなる、例えば図１９なる形状とすることもある。その他に反射構造体の基台１は、それぞれ既製する材料の構造に応じた形状や構造をもつ事が出来る。構造は例えば平板、三角柱、円柱、四角柱、球など。形状は例えば円形、矩形、三角形、五角形、六角形など。
【００４０】
反射構造体の基台１及び反射体２は、それぞれ既製する材料の色に応じた色を持つ事ができる。例えば基台１には、灰色、黒、白、黄、赤、緑など。例えば反射体２には、白、黄、赤、緑など。
【産業上の利用可能性】
【００４１】
敷地内、施設構内など既存の反射材料の設置している場所及び従来高価で設置をあきらめていた反射の必要とする場所。他に自転車、衣類、カバン、傘・・・。
【図面の簡単な説明】
【００４２】
【図１】基台となる材料の切り出しの様子を示した図の一例
【図２】再帰性反射シートを所定の形状に切り出し加工の様子を示した図の一例
【図３】汚れ防止フィルムの切り出しの様子を示した図の一例
【図４】本発明反射構造体の材料の構成を示した構成図
【図５】本発明反射構造体の平面図
【図６】図５の平面図に示すＤ−Ｄからなる断面図
【図７】本発明反射構造体の斜視図
【図８】反射構造体実施例の平面図
【図９】図８の平面図に示すＥ−Ｅからなる実施例断面図
【図１０】反射構造体実施例の利用形態その１
【図１１】反射構造体実施例の利用形態その２
【図１２】本発明に関わる反射構造体のそれぞれもう一つの例を示す平面図
【図１３】本発明に関わる反射構造体のそれぞれもう一つの例を示す平面図
【図１４】本発明に関わる反射構造体のそれぞれもう一つの例を示す平面図
【図１５】本発明に関わる反射構造体のそれぞれもう一つの例を示す平面図
【図１６】本発明に関わる反射構造体のそれぞれもう一つの例を示す平面図
【図１７】本発明に関わる反射構造体のそれぞれもう一つの例を示す平面図
【図１８】本発明に関わる反射構造体のそれぞれもう一つの例を示す平面図
【図１９】本発明に関わる反射構造体のそれぞれもう一つの例を示す平面図
【図２０】本反射構造体の再帰性反射による見かけ上の全面反射効果の説明図
【符号の説明】
【００４３】
Ａ          本発明である反射構造体の基台原料
Ｂ          本発明である反射構造体の反射材原料である再帰性反射シート
Ｃ          本発明である反射構造体の汚れ防止フィルム原料
１          基台
２          反射材：再帰性反射材である個々の反射材２a〜２ｈの代表符号
２ａ〜２ｈ  個々の再帰性反射材
３          汚れ防止フィルム
４          本発明の反射構造体
５          縁石ブロック
７          反射材が施されていない範囲
１０        反射角：再帰性反射の特性を示す反射の角度
１１        入射光：反射材に入る光
１２ａ      反射角の一方
１２ｂ      他の反射角の一方
【図１】
2006316424.tif 000003
【図２】
2006316424.tif 000004
【図３】
2006316424.tif 000005
【図４】
2006316424.tif 000006
【図５】
2006316424.tif 000007
【図６】
2006316424.tif 000008
【図７】
2006316424.tif 000009
【図８】
2006316424.tif 000010
【図９】
2006316424.tif 000011
【図１０】
2006316424.tif 000012
【図１１】
2006316424.tif 000013
【図１２】
2006316424.tif 000014
【図１３】
2006316424.tif 000015
【図１４】
2006316424.tif 000016
【図１５】
2006316424.tif 000017
【図１６】
2006316424.tif 000018
【図１７】
2006316424.tif 000019
【図１８】
2006316424.tif 000020
【図１９】
2006316424.tif 000021
【図２０】
2006316424.tif 000022